(57)【要約】  蛍光体を効率よく励起することができ、かつ、色再現性のよい光源装置を実現する。  第１波長域に含まれる第１波長λｂ１の光を出射する第１光源と、第１波長域に含まれる、第１波長よりも短波長である第２波長λｂ２の光を出射する第２光源と、第１波長の光及び第２波長の光により励起され、第２波長域の光λｙを発光する蛍光体（１３３）と、蛍光体（１３３）と対向して設けられ、蛍光体（１３３）から出射した光のうち第２波長λｂ２の光を反射する波長選択部材（１４０）と、を備える、光源装置が提供される。
2017199530.tif 000002
【特許請求の範囲】
【請求項１】
第１波長域に含まれる第１波長の光を出射する第１光源と、  第１波長域に含まれる、前記第１波長よりも短波長である第２波長の光を出射する第２光源と、  前記第１波長の光及び前記第２波長の光により励起され、第２波長域の光を発光する蛍光体と、  前記蛍光体と対向して設けられ、前記蛍光体から出射した光のうち前記第２波長の光を反射する波長選択部材と、を備える、光源装置。
【請求項２】
前記第１波長域は青色波長域であり、前記第２波長域は緑色波長域の光と赤色波長域の光とを含む光の波長域であり、  前記蛍光体は、青色波長域の光により励起されて緑色波長域の光と赤色波長域の光とを含む光を発光する黄色蛍光体である、請求項１に記載の光源装置。
【請求項３】
前記第１波長域の前記第１波長は４６５ｎｍであり、前記第２波長は４４５ｎｍである、請求項１に記載の光源装置。
【請求項４】
前記第１光源と前記第２光源とは、それぞれ複数配列してなるアレイ光源として設けられる、請求項１に記載の光源装置。
【請求項５】
前記蛍光体は、回転可能に構成された基材上に設けられており、  前記第１波長の光及び前記第２波長の光は、前記基材を介して前記蛍光体へ入射する、請求項１に記載の光源装置。
【請求項６】
前記蛍光体と前記基材との間には、第２波長域の光を反射する反射膜が設けられる、請求項５に記載の光源装置。
【請求項７】
前記基材の、前記第１波長の光及び前記第２波長の光の入射面には、光の反射を防止する反射防止膜が設けられる、請求項５に記載の光源装置。
【請求項８】
前記蛍光体と前記波長選択部材との間には、コリメータレンズが設けられる、請求項１に記載の光源装置。
【請求項９】
前記コリメータレンズの前記蛍光体側の面には、前記第２波長の光を反射する波長選択膜が設けられる、請求項８に記載の光源装置。
【請求項１０】
光源部と、  入射された光を変調し合成する光変調合成系と、  前記光源部から出射された光を前記光変調合成系へ導く照明光学系と、  前記光変調合成系から出射された画像を投射する投射光学系と、からなり、  前記光源部は、  第１波長域に含まれる第１波長の光を出射する第１光源と、  第１波長域に含まれる、前記第１波長よりも短波長である第２波長の光を出射する第２光源と、  前記第１波長の光及び前記第２波長の光により励起され、第２波長域の光を発光する蛍光体と、  前記蛍光体と対向して設けられ、前記蛍光体から出射した光のうち前記第２波長の光を反射する波長選択部材と、を備える、投影表示装置。 
【発明の詳細な説明】
【技術分野】
【０００１】  本開示は、プロジェクター等の投影表示装置に用いられる光源装置およびこれを備える投影表示装置に関する。
【背景技術】
【０００２】  近年、画像をスクリーン等に投影して表示するプロジェクターは、会議室や教室、ホームシアター、劇場等のように幅広い場面で使用されている。プロジェクターでは、従来、明るさやコストパフォーマンスの観点から水銀ランプを主に用いていた。しかし、水銀ランプは、長期の使用においては定期的な交換が必要であり、点灯にも時間がかかる。そこで、プロジェクターの光源として、長寿命性、高機能付加等の観点から、長寿命であり色域の広い固体光源が注目されている。固体光源は、半導体のｐ／ｎ接合による発光現象を用いた光源であり、ＬＥＤやレーザダイオード（ＬＤ）等がある。近年では、例えば特許文献１、２のような、特定の波長域の光を照射すると当該光とは異なる波長域の光を発光する蛍光体材料に対して固体光源により光を照射し、蛍光発光した光を利用する光源装置がプロジェクター等に利用されている。
【先行技術文献】
【特許文献】
【０００３】
【特許文献１】特許第５７６７４４４号公報
【特許文献２】特許第５７７０４３３号公報
【発明の概要】
【発明が解決しようとする課題】
【０００４】  ここで、プロジェクター用の光源としてはＤＣＩ規格やｓＲＧＢ等に基づく映像表示機器の規格色域と白色を表示できることが望ましい。例えば、光源に、赤色波長域、緑色波長域および青色波長域それぞれの発光スペクトルを持たせることで、赤、緑、青の各原色およびこれらの原色を同時に点灯したときの白色において、上記の規格の近傍の色を表示させることができる。【０００５】  このような発光スペクトルを持つ光源は、例えば、赤、緑、青の各色を固体光源により出力して実現することも考えられるが、上記特許文献１、２のように蛍光体を用いて実現することも可能である。しかし、蛍光体を用いた場合には、赤色波長域、緑色波長域および青色波長域それぞれの発光スペクトルをバランスよく持たせることが難しく、特定の波長域の光量が不足することがあった。そこで、蛍光体を効率よく励起することができ、かつ、色再現性のよい光源装置を実現することが求められていた。
【課題を解決するための手段】
【０００６】  本開示によれば、第１波長域に含まれる第１波長の光を出射する第１光源と、第１波長域に含まれる、第１波長よりも短波長である第２波長の光を出射する第２光源と、第１波長の光及び第２波長の光により励起され、第２波長域の光を発光する蛍光体と、蛍光体と対向して設けられ、蛍光体から出射した光のうち第２波長の光を反射する波長選択部材と、を備える、光源装置が提供される。【０００７】  また、本開示によれば、光源部と、入射された光を変調し合成する光変調合成系と、光源部から出射された光を光変調合成系へ導く照明光学系と、光変調合成系から出射された画像を投射する投射光学系と、からなり、光源部は、第１波長域に含まれる第１波長の光を出射する第１光源と、第１波長域に含まれる、第１波長よりも短波長である第２波長の光を出射する第２光源と、第１波長の光及び第２波長の光により励起され、第２波長域の光を発光する蛍光体と、蛍光体と対向して設けられ、蛍光体から出射した光のうち第２波長の光を反射する波長選択部材と、を備える、投影表示装置が提供される。
【発明の効果】
【０００８】  以上説明したように本開示によれば、蛍光体を効率よく励起することができ、かつ、色再現性のよい光源装置を実現できる。なお、上記の効果は必ずしも限定的なものではなく、上記の効果とともに、または上記の効果に代えて、本明細書に示されたいずれかの効果、または本明細書から把握され得る他の効果が奏されてもよい。
【図面の簡単な説明】
【０００９】
【図１】本開示の一実施形態に係る光源装置を備える投影表示装置の一構成例を示す概略構成図である。
【図２】同実施形態に係る光源装置の一例を示す概略構成図である。
【図３】同実施形態に係る光源の一具体例を示す説明図である。
【図４】同実施形態に係る光源装置の一具体例を示す説明図である。
【図５】励起光の波長と黄色蛍光体の励起効率との一関係を示すグラフである。
【図６】同実施形態に係る光源装置の変形例を示す説明図である。
【発明を実施するための形態】
【００１０】  以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１１】  なお、説明は以下の順序で行うものとする。  １．投影表示装置の概略構成  ２．光源装置の構成  ３．具体例    ３．１．青色光による蛍光体励起    ３．２．変形例  ４．まとめ
【００１２】  ＜１．投影表示装置の概略構成＞  まず、図１を参照して、本開示の一実施形態に係る光源装置１００を光源部として備える投影表示装置１の一構成例について説明する。図１は、本実施形態に係る光源装置１００を備える投影表示装置１の一構成例を示す概略構成図である。
【００１３】  図１に示す投影表示装置１は、３ＬＣＤ（Liquid Crystal Display）方式のプロジェクターの一構成例である。３ＬＣＤ方式のプロジェクターでは、光源部である光源装置１００から出射された白色光を、赤、緑、青の三原色に分離し、３つのＬＣＤをそれぞれ透過させることで、スクリーンＳ等の表示面に投影する画像を生成している。
【００１４】  より詳細には、光源装置１００から出射した白色光は、例えば、青色波長域の光のみを透過し、その他の波長域の光を反射する第１反射ダイクロイックミラー４ａに入射する。これにより、青色波長域の光は第１反射ダイクロイックミラー４ａを透過して反射ミラー５ａ側へ進行する。そして、青色波長域の光は、反射ミラー５ａにより反射され、青色用液晶パネル６ａに入射する。
【００１５】  一方、第１反射ダイクロイックミラー４ａにより反射されたその他の波長域の光は、第２反射ダイクロイックミラー４ｂへ入射する。第２反射ダイクロイックミラー４ｂは、緑色波長域の光のみを反射し、その他の波長域の光、すなわち赤色波長域の光を通過させる。第２反射ダイクロイックミラー４ｂにより反射された緑色波長域の光は、緑色用液晶パネル６ｂに入射する。また、第２反射ダイクロイックミラー４ｂを通過した赤色波長域の光は、反射ミラー５ｂ、５ｃにより反射された後、赤色用液晶パネル６ｃへ入射する。
【００１６】  各色用の液晶パネル６ａ〜６ｃは、入力画像信号に応じてそれぞれに入射した光を変調し、ＲＧＢに対応する画像の信号光を生成する。液晶パネル６ａ〜６ｃには、例えば高温ポリシリコンＴＦＴを用いた透過型液晶素子を使用してもよい。各液晶パネル６ａ〜６ｃにより変調された信号光は、ダイクロイックプリズム７に入射され、合成される。ダイクロイックプリズム７は、赤色の信号光および青色の信号光を反射し、緑色の信号光を透過させるように、４つの三角柱を組み合わせた直方体に形成されている。ダイクロイックプリズム７により合成された各色の信号光は投射レンズ８へ入射されて、スクリーンＳ等の表示面に画像として投影される。
【００１７】  投影表示装置１において、液晶パネル６ａ〜６ｃおよびダイクロイックプリズム７は入射された光を変調して合成する光変調合成系として機能するものである。また、反射ダイクロイックミラー４ａ、４ｂ、反射ミラー５ａ〜５ｃは、光変調合成系を構成する液晶パネル６ａ〜６ｃに光源部である光源装置１００からの光を導く照明光学系として機能するものである。そして、および投射レンズ８は、ダイクロイックプリズム７から出射された画像を投射する投射光学系として機能するものである。
【００１８】  ＜２．光源装置の構成＞  本実施形態に係る光源装置１００は、蛍光体を所定の波長域の光により励起し、異なる波長域の光を発光させ、所望の色の光を生成し出射する。ここで、蛍光体を励起させる励起光の一部を、光源装置１００から出射する光の一部として用いることも可能であるが、蛍光体を効率よく励起させる波長と、色再現性の観点から最適な波長とは異なる。そこで、本実施形態では、略同一の色を表す波長域の光を出射する光源を２つ設け、一方を蛍光体の励起用として用い、他方を色再現性用として用いる。
【００１９】  このような光源装置１００は、例えば図２に示すように、光源１１０と、コリメータレンズ１２０と、波長変換部材１３０と、波長選択部材１４０とを含んでなる。
【００２０】  光源１１０は、第１波長域の光を出射する光源部である。光源１１０は、第１波長域に含まれる異なる２つの波長の光を出射可能に構成されている。光源１１０は、例えば複数のレーザダイオードからなるレーザダイオードアレイ等のアレイ光源であってもよい。光源１１０がレーザダイオードアレイであるときには、例えば図３に示すように、第１波長の光を出射する第１光源１１１と、第２波長の光を出射する第２光源１１３とを交互に配列して格子状に配置して構成してもよい。このように、第１光源１１１及び第２光源１１３をまとめて構成することで、光源装置１００を小型化することができる。なお、第１光源１１１及び第２光源１１３の配置及び数は、図３に示す例に限定されるものではない。光源１１０から出射された異なる２つの波長の光は、コリメータレンズ１２０へ入射される。
【００２１】  コリメータレンズ１２０は、光源１１０が出射した光を平行光にし、波長変換部材１３０へ出射する光学部材である。コリメータレンズ１２０は、例えば光源１１０が図３に示したようなレーザダイオードアレイとして構成されている場合、レーザダイオードアレイを構成する各光源１１１、１１３にそれぞれ対応するコリメータレンズからなるレンズアレイとして構成してもよい。
【００２２】  波長変換部材１３０は、コリメータレンズ１２０を介して入射された光源１１０からの光の一部を、入射時の波長域とは異なる波長域の光に変換する部材である。光の波長域の変換には蛍光体が用いられ、例えば、波長変換部材１３０は透過型の蛍光体ホイールとして構成される。具体的には、波長変換部材１３０は、図２に示すように、基材１３１と、駆動部１３２と、蛍光体１３３とからなる。
【００２３】  基材１３１は、蛍光体１３３が積層される部材である。光源１１０から出射された光は、基材１３１を通過して、蛍光体１３３に入射する。このため、基材１３１は、光源１１０からの光が通過可能なように、サファイア等の透明部材により形成される。基材１３１は、例えば円板状に形成されており、その中心に駆動部１３２の回転軸１３２ａが取り付けられている。駆動部１３２が回転軸１３２ａを回転されることにより、基材１３１も回転させることができる。本実施形態の光源装置１００のように、光源１１０としてレーザダイオードを用いる場合、点光源となるため、光源１１０からの光が出射された位置に熱が集中して高温となる。そこで、本実施形態に係る波長変換部材１３０のように回転可能とすることで、基材１３１における光の照射位置を分散させることができる。
【００２４】  基材１３１の、光源１１０からの光が入射する入射面には、光が蛍光体１３３へより多く入射するように、ＡＲ（Anti-Reflective）処理を施してもよい。例えば、基材１３１の入射面側に、光の反射を低減させる反射防止膜１３１ｂを設けてもよい。一方、基材１３１と蛍光体１３３との間には、蛍光体１３３にて発光した第２波長域の光が基材１３１側へ向かうのを防止するため、第２波長域の光を反射する反射膜１３１ａを設けてもよい。このような反射膜１３１ａを設けることで、蛍光体１３３により発光された第２波長域の光が基材１３１側へ出射するのを防止でき、第２波長域の光を確実に光源装置１００から出射させることができる。
【００２５】  蛍光体１３３は、基材１３１に積層された蛍光体層である。蛍光体１３３は、例えば、基材１３１の光源１１０と反対側の面に設けられる。具体的には、例えば図２に示すように、円板状の基材１３１と同心の環状に蛍光体１３３を設けてもよい。蛍光体１３３は、例えば蛍光剤を混合させたバインダーをスクリーン印刷により基材１３１上に塗布することで設けられる。蛍光体１３３は、基材１３１を通過した光源１１０からの光によって励起され、入射した波長域の光とは異なる波長域の光を発光する。なお、蛍光体１３３は、光源１１０からの出射光のうち一部を透過させる。したがって、光源１１０から第１波長光及び第２波長光が蛍光体１３３に入射すると、第１波長域の第１波長光及び第２波長光と、蛍光体１３３が励起して発光した第２波長域の光とが出射される。
【００２６】  波長選択部材１４０は、波長変換部材１３０から出射された光のうち、第１波長域の第２波長光を反射し、第１波長域の第１波長光及び第２波長域の光を透過させる。波長選択部材１４０には、例えば反射ダイクロイックミラー等の光学部材を用いてもよい。波長選択部材１４０は、第２波長光を全反射してもよく、第２波長光のうち少なくとも一部のみを反射してもよい。波長選択部材１４０により反射させた第２波長光は蛍光体１３３側に向かい、蛍光体１３３に入射し、蛍光体１３３を励起させる。これにより、蛍光体１３３はさらに第２波長域の光を発光することができ、光源装置１００から出射される光に第２波長域の光量を多くすることができる。このように、第２波長光は蛍光体１３３を励起させる励起光として使用される。したがって、第２波長光の波長を、蛍光体１３３に吸収されやすい波長とすることで、蛍光体１３３を効率よく励起させ、第２波長域の光を発光させることができる。
【００２７】  波長選択部材１４０を通過した光には、第１波長域の第１波長光と第２波長域の光とが含まれる。ここで、第１波長光は、蛍光体１３３に吸収される波長であるが、波長選択部材１４０を通過するため、光源装置１００から最終的に出射される第１波長域の光の色を決定付ける光となる。そこで、第１波長域の光が表す色を正しく再現可能な波長の光とすることで、第１波長域の光が表す色の色再現性を高めることができ、光源装置１００から出射される光の色をより所望の色に近づけることが可能となる。
【００２８】  ＜３．具体例＞  （３．１．青色光による蛍光体励起）  本実施形態に係る光源装置１００の一具体例として、光源１１０として、青色波長域の光を発する青色レーザタイオードを用いる場合を考える。光源１１０は、図４に示すように、第１光源１１１から第１波長λｂ１の第１青色光を出射し、第２光源１１３から第２波長λｂ２の第２青色光を出射する。第１光源１１１は、青色の再現性のよい波長の光を出射する光源であり、第１波長λｂ１は例えば４６５ｎｍとする。いずれも第１波長域である青色波長域（約４００〜５００ｎｍ）内の波長である。一方、第２光源１１３は、蛍光体１３３の励起光を出射する光源である。本例において、蛍光体１３３は、励起光によって緑色波長域の光と赤色波長域の光とを含む光を発光する黄色蛍光体である。そこで、第２波長λｂ２は黄色蛍光体に吸収されやすい波長、例えば４４５ｎｍとする。
【００２９】  ここで、図５に、励起光の波長と黄色蛍光体の励起効率との関係を示す。励起効率は、波長４４５ｎｍの光によって黄色蛍光体が励起されたときに発光する蛍光光量を基準として、各波長の光によって黄色蛍光体を励起したときの蛍光光量の比率を表している。図５に示すように、励起効率は励起光の波長が約４４５ｎｍで最大となり、これより励起光の波長が長くなるほど励起効率は低下する。すなわち、第１波長λｂ１の光よりも最大励起効率となる波長に近い第２波長λｂ２の光の方が、黄色蛍光体の励起効率はよい。
【００３０】  図４に示すように、第１波長λｂ１の第１青色光及び第２波長λｂ２の第２青色光は、基材１３１を通過すると、蛍光体１３３である黄色蛍光体に入射する。黄色蛍光体は、第１青色光及び第２青色光により励起され、緑色波長域の光と赤色波長域の光とを含む光を発光する。緑色波長域の光と赤色波長域の光とが混合する光は黄色に見えることから、以下では、当該蛍光体が発光した緑色波長域の光と赤色波長域の光とを含む光を黄色光ともいう。この黄色光に含まれる光の波長λｙは約５００〜７００ｎｍの範囲内にある。ここで、黄色蛍光体にて発光した黄色光は、黄色蛍光体と基材１３１との間に黄色光の波長域の光を反射する反射膜１３１ａが設けられているため、基材１３１側へは進まず、波長選択部材１４０へと進む。また、黄色蛍光体に入射した第１青色光及び第２青色光の一部は、黄色蛍光体をそのまま通過する。したがって、黄色蛍光体から波長選択部材１４０へ、第１青色光、第２青色光、及び黄色光（すなわち、緑色波長域の光と赤色波長域の光とを含む光）が出射される。図４に示す黄色光（Ｙｅｌｌｏｗ）は、緑色波長域の光と赤色波長域の光とを含んだ光を表している。
【００３１】  波長選択部材１４０は、入射する第１青色光、第２青色光、及び、黄色光のうち、第１青色光及び黄色光を通過させ、第２青色光を黄色蛍光体側へ反射する。波長選択部材１４０にて反射された第２青色光は、再び黄色蛍光体へ入射し、黄色蛍光体を励起させ、緑色波長域の光と赤色波長域の光とを含む光を発光させる。発光した黄色光は、波長選択部材１４０へ向かって進む。このように、本実施形態に係る光源装置１００は、黄色蛍光体の励起光として用いられる第２青色光が、黄色蛍光体１３３と波長選択部材１４０との間を往復するように構成される。これにより、励起光を効率よく利用して、黄色蛍光体により得られる黄色光の光量を高めることができる。また、黄色蛍光体の励起光には第２光源１１３から出射される第２青色光を用いるため、第１光源１１１から出射される光として、本例のように青色の再現性の高い波長λｂ１の第１青色光を選択することが可能となる。
【００３２】  波長λｂ１の第１青色光は、基材１３１、黄色蛍光体、及び、波長選択部材１４０を通過し、黄色蛍光体にて発光された緑色波長域の光と赤色波長域の光とを含む光とともに光源装置１００から出射される。これより、光源装置１００は、青色の色再現性がよく、かつ黄色光の光量も十分な光を出射することができる。
【００３３】  （３．２．変形例）  上述の図４の例では、蛍光体１３３と波長選択部材１４０との間に空間が設けられているが、本開示はかかる例に限定されない。例えば、蛍光体１３３と波長選択部材１４０とを接触させてもよく、図６に示すように、蛍光体１３３と波長選択部材１４０と間に、コリメータレンズ１４５を設けてもよい。この場合、コリメータレンズ１４５は、波長選択部材１４０により反射された第２青色光を蛍光体１３３に集光させるように機能する。これにより、蛍光体１３３の励起光である第２青色光を確実に蛍光体１３３へ入射させることができ、蛍光体１３３を効率よく発光させることができる。
【００３４】  さらに、コリメータレンズ１４５は、図６に示したような蛍光体１３３と波長選択部材１４０との間以外にも、波長選択部材１４０の出側（すなわち、蛍光体１３３と反対側）に配置してもよい。また、コリメータレンズ１４５の、蛍光体１３３側からの光が入射する入射面に、第２波長光を反射させる機能を持たせてもよい。例えば、コリメータレンズ１４５の当該入射面に、第２波長光を反射させる波長選択膜を施してもよい。この場合、波長選択部材１４０は設けられていてもよく、設けられていなくてもよい。
【００３５】  ＜４．まとめ＞  以上、本発明の一実施形態に係る光源装置の構成を説明した。本実施形態によれば、蛍光体を所定の波長域の光により励起し、異なる波長域の光を発光させ、所望の色の光を生成し出射するにあたり、光源装置から出射される光のうち所定の色を構成するための光を出射する光源と、蛍光体の励起光用の光源とを、それぞれ設ける。これにより、各光源に求められる特性に応じた波長を選択することが可能となり、蛍光体の励起効率と所定の色の再現性とを両立させることができる。また、これらの光源をまとめて配置することで、光源装置の小型化も実現することができる。
【００３６】  以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【００３７】  例えば、上記実施形態では、波長変換部材１３０を透過型の蛍光ホイールとして光源装置１００を構成したが、本技術はかかる例に限定されない。例えば、波長変換部材１３０を反射型の蛍光ホイールとしてもよい。
【００３８】  また、上述の実施形態の一例として、青色波長域を第１波長域、緑色波長域の光と赤色波長域の光とを含む光の波長域を第２波長域、黄色蛍光体を蛍光体とした場合を示したが、本開示はかかる例に限定されない。各光源から出射される光の波長域及び蛍光体の特性は、光源装置により実現する光の色合いに応じて決定すればよい。
【００３９】  また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏しうる。
【００４０】  なお、以下のような構成も本開示の技術的範囲に属する。（１）  第１波長域に含まれる第１波長の光を出射する第１光源と、  第１波長域に含まれる、前記第１波長よりも短波長である第２波長の光を出射する第２光源と、  前記第１波長の光及び前記第２波長の光により励起され、第２波長域の光を発光する蛍光体と、  前記蛍光体と対向して設けられ、前記蛍光体から出射した光のうち前記第２波長の光を反射する波長選択部材と、を備える、光源装置。（２）  前記第１波長域は青色波長域であり、前記第２波長域は緑色波長域の光と赤色波長域の光とを含む光の波長域であり、  前記蛍光体は、青色波長域の光により励起されて緑色波長域の光と赤色波長域の光とを含む光を発光する黄色蛍光体である、前記（１）に記載の光源装置。（３）  前記第１波長域の前記第１波長は４６５ｎｍであり、前記第２波長は４４５ｎｍである、前記（１）または（２）に記載の光源装置。（４）  前記第１光源と前記第２光源とは、それぞれ複数配列してなるアレイ光源として設けられる、前記（１）〜（３）のいずれか１項に記載の光源装置。（５）  前記蛍光体は、回転可能に構成された基材上に設けられており、  前記第１波長の光及び前記第２波長の光は、前記基材を介して前記蛍光体へ入射する、前記（１）〜（４）のいずれか１項に記載の光源装置。（６）  前記蛍光体と前記基材との間には、第２波長域の光を反射する反射膜が設けられる、前記（５）に記載の光源装置。（７）  前記基材の、前記第１波長の光及び前記第２波長の光の入射面には、光の反射を防止する反射防止膜が設けられる、前記（５）または（６）に記載の光源装置。（８）  前記蛍光体と前記波長選択部材との間には、コリメータレンズが設けられる、前記（１）〜（７）のいずれか１項に記載の光源装置。（９）  前記コリメータレンズの前記蛍光体側の面には、前記第２波長の光を反射する波長選択膜が設けられる、前記（８）に記載の光源装置。（１０）  光源部と、  入射された光を変調し合成する光変調合成系と、  前記光源部から出射された光を前記光変調合成系へ導く照明光学系と、  前記光変調合成系から出射された画像を投射する投射光学系と、からなり、  前記光源部は、  第１波長域に含まれる第１波長の光を出射する第１光源と、  第１波長域に含まれる、前記第１波長よりも短波長である第２波長の光を出射する第２光源と、  前記第１波長の光及び前記第２波長の光により励起され、第２波長域の光を発光する蛍光体と、  前記蛍光体と対向して設けられ、前記蛍光体から出射した光のうち前記第２波長の光を反射する波長選択部材と、を備える、投影表示装置。
【符号の説明】
【００４１】  １                投影表示装置  １００            光源装置  １１０            光源  １１１            第１光源  １１３            第２光源  １２０、１４５    コリメータレンズ  １３０            波長変換部材  １３１            基材  １３１ａ          反射膜  １３１ｂ          反射防止膜  １３２            駆動部  １３２ａ          回転軸  １３３            蛍光体  １４０            波長選択部材 
【図１】
2017199530.tif 000003
【図２】
2017199530.tif 000004
【図３】
2017199530.tif 000005
【図４】
2017199530.tif 000006
【図５】
2017199530.tif 000007
【図６】
2017199530.tif 000008
【国際調査報告】
2017199530.tif 000009
2017199530.tif 000010
2017199530.tif 000011
2017199530.tif 000012